(57)【要約】      （修正有）【課題】パネル等の高さの低い被包装物に用いる包装装置の緩衝部材の部品点数を削減し、包装仕様の簡易化と包装作業時間の短縮ができる包装装置を安価に提供する。【解決手段】平板状部材を略チャンネルに折り曲げた外装ケース６と、外装ケース６の両端部に配設した緩衝部材９を備え、外装ケース６の両側面に上面から下面に亘り、内側に向けた折り込み部７を１個または複数個設けたことにより、折り込み部７が被包装物８の両側面の緩衝部材としての役割をする。【選択図】図１
2005119697.tif 000002
【特許請求の範囲】
【請求項１】
平板状部材を略チャンネル状に折り曲げた外装ケースと、前記外装ケースの両端部に配設した緩衝部材を備え、前記外装ケースの両側面に上面から下面に亘り、内側に向けた折り込み部を１個または複数個設けた包装装置。
【請求項２】
外装ケースの折り込み部は、外装ケースの内側に向けてコの字形状とした請求項１に記載の包装装置。
【請求項３】
外装ケースの折り込み部は、外装ケースの内側に向けてＬ字形状とした請求項１または２に記載の包装装置。
【請求項４】
折り込み部を通過して外装ケースを周回する結束帯を設けた請求項１〜３のいずれか１項に記載の包装装置。
【発明の詳細な説明】
【技術分野】
【０００１】
本発明はパネル等の高さの低い物品に適した包装装置に関するものである。
【背景技術】
【０００２】
従来、この種の包装装置はパネルの木口部周囲に緩衝材をテープで固定し製品ケースで覆っている（例えば、特許文献１参照）。
【０００３】
図７、図８は、特許文献１に記載された従来の包装装置を示すものである。図に示すように、パネル１の木口部を保護する複数の緩衝部材２と、前記緩衝部材２を固定するテープ３と、パネル表裏面を保護する外装ケース４と外装ケース４を封緘する封緘テープ５から構成されている。
【特許文献１】特開平２−１０９８７４号公報
【発明の開示】
【発明が解決しようとする課題】
【０００４】
しかしながら、前記従来の構成では、緩衝部材が動かないようにテープなどで固定しないといけなく、また部品点数も多いので工数がかかり包装が大変困難であるという課題を有していた。
【０００５】
本発明は、前記従来の課題を解決するもので、包装仕様の簡易化と包装作業時間の短縮ができる包装装置を提供することを目的とする。
【課題を解決するための手段】
【０００６】
前記従来の課題を解決するために、本発明の包装装置は、外装ケース両側面にあらかじめ緩衝部材を兼ねた折り込み部を設けたものである。
【０００７】
これによって、折り込み部が被包装物の両側面の緩衝部材の役割をするため、両側面の緩衝部材をなくすことができ、緩衝部材の部品点数を削減できるものである。
【発明の効果】
【０００８】
本発明の包装装置は、被包装物周囲の緩衝部材の部品点数を削減することにより、包装仕様の簡易化と包装作業時間の短縮を図り、安価な包装装置を提供することができる。
【発明を実施するための最良の形態】
【０００９】
第１の発明は平板状部材を略チャンネル状に折り曲げた外装ケースと、前記外装ケースの両端部に配設した緩衝部材を備え、前記外装ケースの両側面に上面から下面に亘り、内側に向けた折り込み部を１個または複数個設けた包装装置にすることにより緩衝部材としての役割をするため、緩衝部材の部品点数を削減でき、容易に包装ができる。
【００１０】
第２の発明は、特に、第１の発明の包装装置の外装ケースの折り込み部は、外装ケースの内側に向けてコの字形状としたことにより、上下のバランスがとれた形状の緩衝部材としての役割をするため、安定した緩衝効果を発揮することができる。
【００１１】
第３の発明は、特に、第１の発明の包装装置の外装ケースの折り込み部は、外装ケースの内側に向けてＬ字形状としたことにより、折り込み部の切り込み量を少なくすることができるため、外装ケース特に折り込み部の強度が強く重量物の包装に対応できる。
【００１２】
第４の発明は、特に、第１〜３のいずれか１つの発明の包装装置を折り込み部を通過して外装ケースを周回する結束帯を設けることにより、パネルと外装ケースを固定できるため、より確実な包装が容易にできる。
【００１３】
以下本発明の実施の形態について、図面を参照しながら説明する。なお、この実施の形態によって本発明が限定されるものではない。
【００１４】
（実施の形態１）
図１は、本発明の第１の実施の形態における包装装置の分解斜視図を示すものである。
【００１５】
図１において、外装ケース６はチャンネル状にに折りたためるように予め必要箇所に罫線が引いてあり、外装ケース６の両側面の３カ所には、上面から下面に亘り内側に向けた折り込み部７が形成されるように切り欠きが設けられている。
【００１６】
折り込み部７は図２に示すように、外装ケース６の内側に向かって略コの字の形状をなしている。
【００１７】
外装ケース６中央部には被包装物であるパネル８が載置され、外装ケース６の両端部には緩衝部材９が配置される。図３に示すように、外装ケース６を閉成した接合部と両端部は粘着テープ１０で封緘される構成である。
【００１８】
以上のように構成されたパネル用の包装装置について、以下その動作、作用を説明する。
【００１９】
まず、パネル８包装時には外装ケース６中央部の上にパネル８を載置し、外装ケース６を閉じ、外装ケース６の両側面の折り込み部７を内側に向けて折り込み、外装ケース６を閉じた状態でパネル両端の緩衝部材９を取り付け、粘着テープ１０で封緘すると包装は完了となる。
【００２０】
以上のように、本実施の形態におい、パネル８の上下端部は緩衝材９で保護されており、両側部は外装ケース６の折り込み部７で固定されるため、パネル８は直接外部からの衝撃に曝されることがなく、緩衝材を配置したのと同様の効果を得ることができる。
【００２１】
また、側面部の緩衝材をなくすことにより、部品点数を削減できるため、材料コストの削減と包装作業に要する時間が短縮でき安価な包装装置を提供することができる。
【００２２】
なお、本実施の形態では折り込み部７の形状をコの字状としたが、図４に示すようにＬ字状にすることも可能であり、Ｌ字状の場合は外装ケース６の底面を長方形状で維持できるため外装ケースの強度の劣化を減少することができるため、重量物の包装に好適である。
【００２３】
（実施の形態２）
図５は、本発明の第２の実施の形態における包装装置の外観斜視図を示すものであり、図６は折り込み部の詳細を示す断面図である。
【００２４】
前記実施の形態１と同符号のものは同一の構成であり、構成の異なる部分のみを以下に記載する。
【００２５】
図５において外装ケース１１の折り込み部１２を通過して外装ケース１１を周回する結束帯１３で結束したものであり、図６に示すように折り込み部１２は内外面が折り重なった形状になっている。
【００２６】
以上のように構成された包装装置は、形態１と同様に、外装ケース１１を閉成して粘着テープ１０で封緘した後、折り込み部１２の表面を通過するように結束帯１３で結束することにより、被包装物のパネルと外装ケースが確実に固定されるため、より強度の強い包装装置を実現することができる。
【００２７】
なお、本実施の形態では、全ての折り込み部に結束帯を配設したが、被包装物のパネルの重量や強度によって、上下２カ所、あるいは中央１カ所に変更することが可能である。
【産業上の利用可能性】
【００２８】
以上のように、本発明にかかる包装装置は、側面部の緩衝材を廃止し、外装ケースの折り込み部で代用するものであり、板やフレーム等の高さの低い被包装物に対して適用できる。
【図面の簡単な説明】
【００２９】
【図１】本発明の実施の形態１における包装装置の分解斜視図
【図２】本発明の実施の形態１における折り込み部を示す要部断面図
【図３】本発明の実施の形態１における包装装置の外観斜視図
【図４】本発明の実施の形態１における折り込み部の別の形状を示す要部断面図
【図５】本発明の実施の形態２における包装装置の外観斜視図
【図６】本発明の実施の形態２における折り込み部を示す要部断面図
【図７】従来の包装装置の分解斜視図
【図８】従来の包装装置の外観斜視図
【符号の説明】
【００３０】
６、１１  外装ケース
７、１２  折り込み部
９  緩衝部材
１３  結束帯
【図１】
2005119697.tif 000003
【図２】
2005119697.tif 000004
【図３】
2005119697.tif 000005
【図４】
2005119697.tif 000006
【図５】
2005119697.tif 000007
【図６】
2005119697.tif 000008
【図７】
2005119697.tif 000009
【図８】
2005119697.tif 000010